(57)【要約】【課題】外観と同じく内部についても高級感をかもし出すことが可能なソフトバッグを提供すること。【解決手段】バッグの側板１を構成する表地２及び第１裏地３をそれぞれ折り返して、その折り返し部分相互を当接させた状態で側板の端部近傍を縫着（この縫着部を符号６０で示す）してあり、前記第１裏地３とこれよりも内側にある第２裏地４とによりマチ部５を挟み込むようにし、前記マチ部５とこれを挟み込んでいる第１裏地３及び第２裏地４は、少なくとも表地２側に突出している部分を有すると共に、前記マチ部５、第１裏地３及び第２裏地４の先端近傍部分を縫着（この縫着部を符号６１で示す）させてある。【選択図】図１
2010158324.tif 000002
【特許請求の範囲】
【請求項１】
バッグの側板を構成する表地及び第１裏地をそれぞれ折り返して、その折り返し部分相互を当接させた状態で側板の端部近傍を縫着してあり、前記第１裏地とこれよりも内側にある第２裏地とによりマチ部を挟み込むようにし、前記マチ部とこれを挟み込んでいる第１裏地及び第２裏地は、少なくとも表地側に突出している部分を有すると共に、前記マチ部、第１裏地及び第２裏地の先端近傍部分を縫着一体化させてあることを特徴とするソフトバッグ。
【請求項２】
前記マチ部とこれを挟み込んでいる第１裏地及び第２裏地は、表地側に突出した後、側板の端部側に向って延びていることを特徴とする請求項１記載のソフトバッグ。
【発明の詳細な説明】
【技術分野】
【０００１】
この発明は、ソフトバッグ、特に前後壁面とマチ部の縫製構造に関するものである。
【背景技術】
【０００２】
ソフトバッグＳＢは、図４や図５に示すように、表地９０と裏地９１から成る側板９に、表地８０と裏地８１とから成るマチ部８を、縫着して成る構造が一般的である。
【０００３】
ところで、この種のソフトバックでは、図４や図５に示すように、表地８０、９０の先端側部をバッグの内部側に折り返し、マチ側突出片８２と側板側突出片９２の自由端部がバッグ内部に突出した状態としている。
【０００４】
しがって、外観は高級感があるのに対して、内部には上記マチ側突出片８２や側板側突出片９２が存在しているので、外部の高級感とかけ離れたものとなっていた。
【０００５】
ソフトバッグＳＢを取り扱うこの種の業界では、外観と同じく内部についても高級感をかもし出すものが製作できないものかと研究（特許文献１）しているが、満足するものは開発されていない。
【特許文献１】特開平１１−２１４号公報
【発明の開示】
【発明が解決しようとする課題】
【０００６】
そこで、この発明は、外観と同じく内部についても高級感をかもし出すことが可能なソフトバッグを提供することを課題とする。
【課題を解決するための手段】
【０００７】
（請求項１記載の発明）
この発明のソフトバッグは、バッグの側板を構成する表地及び第１裏地をそれぞれ折り返して、その折り返し部分相互を当接させた状態で側板の端部近傍を縫着してあり、前記第１裏地とこれよりも内側にある第２裏地とによりマチ部を挟み込むようにし、前記マチ部とこれを挟み込んでいる第１裏地及び第２裏地は、少なくとも表地側に突出している部分を有すると共に、前記マチ部、第１裏地及び第２裏地の先端近傍部分を縫着一体化させてある。
（請求項２記載の発明）
この発明のソフトバッグは、上記請求項１記載の発明に関し、前記マチ部とこれを挟み込んでいる第１裏地及び第２裏地は、表地側に突出した後、側板の端部側に向って延びている。
【発明の効果】
【０００８】
この発明のソフトバッグによると、外観と同じく内部についても高級感をかもし出すことが可能となる。つまり、マチ側突出片と側板側突出片の自由端部がバッグ内部に突出しないものになり、見栄えが非常に良くなる。
【発明を実施するための最良の形態】
【０００９】
以下にこの発明のソフトバッグにおける最良の形態として、その実施例について詳しく説明する。
【実施例１】
【００１０】
図１はこの実施例のソフトバッグＳＢを斜め上方から見た状態を示す斜視図、図２は図１のＡ−Ａ断面図を示している。
【００１１】
（この実施例のソフトバッグＳＢの基本的構成について）
この実施例１のソフトバッグＳＢは、図１や図２に示すように、バッグの側板１を構成する表地２及び第１裏地３をそれぞれ折り返して、その折り返し部分相互を当接させた状態で側板の端部近傍を縫着（この縫着部を符号６０で示す）してあり、前記第１裏地３とこれよりも内側にある第２裏地４とによりマチ部５を挟み込むようにし、前記マチ部５とこれを挟み込んでいる第１裏地３及び第２裏地４は、少なくとも表地２側に突出している部分を有すると共に、前記マチ部５、第１裏地３及び第２裏地４の先端近傍部分を縫着（この縫着部を符号６１で示す）させてある。
【００１２】
以下にこのソフトバッグの具体的構成について説明する。
（このソフトバッグＳＢの具体的構成について）
このソフトバッグＳＢは、図１に示すように、一対の側板１，１と、前記側板１，１相互間に取り付けられている一対のマチ部５と、図示しない底板と、上部開口部を開け閉めするためのファスナーＦとを有する構成としている。
【００１３】
側板１は、図１や図２に示すように、基本的には表地２と、第１裏地３及び第２裏地４とから構成されているが、この実施例では表地２の内面側に発泡樹脂材hを添設してある。なお、上記第２裏地４，４に図示しないがポケット等を設けてある。
【００１４】
表地２は、図１や図２に示すように、先端側で少しの範囲を折り返してあり、前記折り返し部分には上記発泡樹脂材ｈが差し込まれ、その他の部分は当該表地２の内面側に添接させてある。
【００１５】
第１裏地３は、図１や図２に示すように、先端側で半分以上の範囲を折り返してあり、更に飛び出した部分について表地２側に向って折り曲げてある。
【００１６】
マチ部５は、図１や図２に示すように、マチ表地５０とマチ裏地５１と構成されている。
そして、図２に示すように、上記第１裏地３における表地２側に向って折り曲げ部分にマチ部５が当接するように配置され、前記マチ部５のマチ裏地５１に第２裏地４の表地２側の折り曲げ部分と当接するように配置されている。そして、前記マチ部５、第１裏地３及び第２裏地４の先端近傍部分を縫着一体化されている。
（このソフトバッグＳＢの優れた効果について）
このソフトバッグＳＢによると、図４及び図５に示すような醜いマチ側突出片８２と側板側突出片９２の自由端部がバッグ内部に突出しない。
【００１７】
したがって、このソフトバッグＳＢでは、外観と同じく内部についても高級感をかもし出すことが可能となる。
【実施例２】
【００１８】
図３は、実施例１の上記Ａ−Ａ断面図と対応する実施例２の断面図を示している。
【００１９】
この実施例２のソフトバッグＳＢでは、図３に示すように、マチ部５、第１裏地３及び第２裏地４をハッグ外側に巻き込んでいる（この図では反時計方向に巻き込んでいる）。
【図面の簡単な説明】
【００２０】
【図１】この実施例１のソフトバッグＳＢを斜め上方から見た状態を示す斜視図。
【図２】図１のＡ−Ａ断面図。
【図３】実施例１の図１のＡ−Ａ断面図に対応する実施例２の断面図。
【図４】従来のソフトバッグの内面を見せている斜視図。
【図５】従来のソフトバッグにおいて、マチ側突出片と側板側突出片の自由端部がバッグ内部に突出した状態にしている断面図。
【符号の説明】
【００２１】
ＳＢ    ソフトバッグ
１      側板
２      表地
３      第１裏地
４      第２裏地
５      マチ部
５０    マチ表地
５１    マチ裏地
６０    縫着部
６１    縫着部  
ｈ      発泡樹脂
【図１】
2010158324.tif 000003
【図２】
2010158324.tif 000004
【図３】
2010158324.tif 000005
【図４】
2010158324.tif 000006
【図５】
2010158324.tif 000007